(57)【要約】【課題】大径な液晶パネルを撓ませることなく安定した状態にて収納することができかつ各種サイズの液晶パネルに対応することができるとともに、静電気対策にも十分配慮し回路を確実に保護する板体収納トレイの提供を目的とする。【解決手段】金属等の導電性材料からなり、液晶パネル８を収納する板体収納面を有する板体収納トレイ１において、板体収納面には水平方向の液晶パネルの移動を摩擦力で防止する導電性合成ゴムからなる滑り止め部材９を上面に備えて液晶パネルを支持する板体支持部材４を、載置する液晶パネルの幅径の種類に応じて複数配置する。【選択図】図１
2005221769.tif 000002
【特許請求の範囲】
【請求項１】
金属等の導電性材料からなる液晶パネル等の板体収納体の板体収納面には、収納される板体に帯電する静電気を徐々に除電させる板体支持部材を収納される板体の大きさに応じて配置したことを特徴とする板体収納トレイ。
【請求項２】
板体支持部材は、１０8Ωを超えかつ１０12Ω以下の表面抵抗値を持続させるべくポリエーテル、エーテルアミド等の親水性高分子帯電防止剤を添加し共重合化してなる持続性帯電防止合成樹脂材から形成されることを特徴とする請求項１記載の板体収納トレイ。
【請求項３】
板体支持部材は、収納される板体の水平方向の移動を防止する導電ゴム材料からなる滑り止め部材を上面に取付けてなることを特徴とする請求項１記載の板体収納トレイ。
【請求項４】
板体収納体は、外枠、該外枠の相対向する辺間を間隔を置いて接続し板体支持部材を備えてなる杆体とからなり、板体収納面には上下方向に空間部が形成されることを特徴とする請求項１記載の板体収納トレイ。
【発明の詳細な説明】
【技術分野】
【０００１】
本発明は、液晶パネルの生産工程中及び工程間において液晶パネルを収納、搬送するために用いる板体収納トレイに係り、特に各種サイズの液晶パネルに対応して収納することができるとともに、液晶パネルにとって課題である静電対策にも考慮した板体収納トレイに関する。
【背景技術】
【０００２】
従来、液晶ディスプレイの生産工程においてガラス製の液晶パネルを収納・搬送するためには、液晶パネルの外周縁を保持する溝部、段部、棚部等を備え、複数枚の液晶パネルを効率良く収納、搬送するラック構造の液晶パネル搬送容器や、合成樹脂製のトレイが用いられている。
【特許文献１】特開平８−３２４６７４号公報
【発明の開示】
【発明が解決しようとする課題】
【０００３】
しかしながら、近年液晶ディスプレイの大型化、薄型化はますます進んで、その液晶パネルのサイズは、縦横１メートル以上、厚さ１ミリメートル以下というきわめて大きくかつ撓みやすいものとなっている。それゆえ、液晶パネルの外周縁を保持する構造の従来のラック構造の液晶パネル搬送容器にあっては、収納した液晶パネルが撓んだり揺動したりして損傷や作業の障害を招く虞があった。また、ラック構造の液晶パネル搬送容器は、液晶パネルの外周縁を保持する構造であることから、収納する液晶パネルのサイズが変わるとそのサイズに対応した新たな搬送容器を製作しなければならなかった。また合成樹脂製のトレイにあっては、ストッパーで液晶パネルの外周縁を掛止する構造からして、液晶パネルのサイズごとにトレイのサイズを変えることを余儀なくされることに加え、大径な液晶パネルを撓ませることがないようにトレイの平面度を維持することは樹脂成形上困難を極めるものであった。さらに、製造工程中の液晶パネルにあっては、そこに形成されている回路が静電気で損傷することがないように、通常そのトレイに導電塗装や界面活性剤を添加した導電樹脂を用いて帯電防止を施しているのであるが、従来の帯電防止技術にあっては樹脂表面の抵抗値が数Ω〜１０6Ωであり、高電圧で帯電した液晶パネルがトレイに接触して静電気がアースされる際に、液晶パネルやその回路と導電トレイとの間で火花放電が発生する虞があった。そして液晶パネルの回路で放電が生じると、回路が焼損することとなる。さらに、上述した帯電防止効果では、湿度依存性があったり、経時的に表面抵抗値が増してしまったりして、長期間安定して所定の表面抵抗値を持続することができなかった。
【０００４】
そこで本発明にあっては、これらの課題を解決すべく、大径な液晶パネルを撓ませることなく安定した状態にて収納することができかつ各種サイズの液晶パネルに対応することができるとともに、静電気対策にも十分配慮し回路を確実に保護することができる板体収納容器を提供することを目的とする。
【課題を解決するための手段】
【０００５】
上記目的を達成するため、本発明の板体収納トレイは、金属等の導電性材料からなる液晶パネル等の板体収納体の板体収納面には、収納される板体に帯電する静電気を徐々に除電させる板体支持部材を収納される板体の大きさに応じて配置したことを特徴とする。
【０００６】
また、板体支持部材は、１０8Ωを超えかつ１０12Ω以下の表面抵抗値を持続させるべくポリエーテル、エーテルアミド等の親水性高分子帯電防止剤を添加し共重合化してなる持続性帯電防止合成樹脂材から形成されることを特徴とする。
【０００７】
また、板体支持部材は、収納される板体の水平方向の移動を防止する導電ゴム材料からなる滑り止め部材を上面に取付けてなることを特徴とする。
【０００８】
また、板体収納体は、外枠、該外枠の相対向する辺間を間隔を置いて接続し板体支持部材を備えてなる杆体とからなり、板体収納面には上下方向に空間部が形成されることを特徴とする。
【発明の効果】
【０００９】
本発明の板体収納トレイによれば、金属等の導電性材料からなる液晶パネル等の板体収納体の板体収納面には、収納される板体に帯電する静電気を徐々に除電させる板体支持部材を収納される板体の大きさに応じて配置したことで、静電気で帯電した液晶パネル等の板体を好適に除電することが可能となる。
【００１０】
また、板体支持部材は、１０8Ωを超えかつ１０12Ω以下の表面抵抗値を持続させるべくポリエーテル、エーテルアミド等の親水性高分子帯電防止剤を添加し共重合化してなる持続性帯電防止合成樹脂材から形成されることで、静電気で帯電した液晶パネル等の板体を板体支持部材に載置して収納する際に、火花放電を生じさせることなく好適に除電することが可能となる。
【００１１】
また、板体支持部材は、収納される板体の水平方向の移動を防止する導電ゴム材料からなる滑り止め部材を上面に取付けてなることで、ストッパー部材を備えることなく各種サイズの板体に対応して好適に収納することができる。
【００１２】
また、板体収納体は、外枠、該外枠の相対向する辺間を間隔を置いて接続し板体支持部材を備えてなる杆体とからなり、板体収納面には上下方向に空間部が形成されることで、トレイは軽量化されるとともに、板体収納トレイ内に塵埃が生じてもトレイ内に貯めることなく隙間から落下させてクリーンな状態を保持することができる。
【発明を実施するための最良の形態】
【００１３】
図１〜図２は、本発明の板体収納トレイ１を示すものであり、この板体収納トレイ１は、四辺が断面コ字形の金属製アングル材（チャネル材）等の導電性構造体からなる外枠２と、この外枠２の相対向する辺間を間隔を置いて接続する金属製の断面Ｌ字形アングル材からなり、収納する液晶パネルの板体収納面を構成する４つの杆体３と、内方の杆体３の上面に配置された複数個（本実施例では１２個）の合成樹脂製の略長方体形状からなる板体支持部材４と、外方の杆体３の上面に配置され液晶パネルの回路部分を支持するための支持板５と、外枠２上面の四隅に配置されたトレイを積み重ねるためのコーナー部材６と、外枠２上面に適宜な間隔で配置された把手部材７とから構成されている。
【００１４】
板体収納トレイ１を外枠２と杆体３とから構成し、外枠と杆体との間で上下方向に空間部分を設けて底板で塞がない構造とすることで、板体収納トレイ１内に塵埃が生じてもトレイ１内に貯めることなく隙間から落下させてクリーンな状態を保持することができる。
【００１５】
図３に示す板体支持部材４は、ポリプロピレンと、ポリエーテルやエーテルアミド等の親水性高分子帯電防止剤を共重合化した合成樹脂材を射出成形して得られるもので、１０8Ωを超えかつ１０12Ω以下の表面抵抗値を、湿度依存性や経時変化なく持続するという特長を有している。そしてその上面には、導電性シリコンゴム等の低抵抗の導電性合成ゴムからなる滑り止め部材９を配設して、載置する液晶パネル８の水平方向の移動を、その摩擦力のみで抑止することとし、ストッパー等の位置規制部材を不要としている。また支持体４を内方の杆体３に１２個配置することで、外枠２内に収まる幅径で、板体支持部材４の間隔以上の幅径であればどのようなサイズの液晶パネルも板体支持部材４で安定して支持することができるものである。この収納サイズの汎用性は、板体の外周縁をストッパー部材で規制するのではなく、板体の水平方向の移動を板体支持部材４の滑り止め部材９による摩擦力のみで防止する構成により可能となるものである。
【００１６】
この板体支持部材４の１０8Ωを超えかつ１０12Ω以下という表面抵抗値は、導電塗装での数Ω〜数十Ωという値や、カーボンフィラーを練り込んだ導電樹脂の数十Ω〜１０6Ωと比較すると高いものの、絶縁体であるポリプロピレンやポリエチレン等の一般的な樹脂の１０15Ω〜１０17Ωと比較すると十分低く、すなわち絶縁領域に近い半導体領域の抵抗値であり、この範囲の表面抵抗値の場合には、高電圧の静電気を帯電した液晶パネルが板体支持部材４に接触（良導体の滑り止め部材９を介して）しても、高電圧の静電気は火花放電により瞬時にトレイに流れることなく、数マイクロ秒〜数百ミリ秒という時間をかけて徐々に板体支持部材４を経て金属製構造体からなる外枠２へと電流を流して除電されるものである。
【００１７】
外方の杆体３の上面に適宜な間隔で複数個配置された支持板５は、液晶パネルの外周に配置されたＴＣＰ等の回路部分を支持するものであり、これにより前記回路部分はトレイの下方に垂れ下がることなく安全に保持される。この支持板５も、前述した板体支持部材４と同様にポリプロピレンと、ポリエーテルやエーテルアミド等の親水性高分子帯電防止剤を共重合化した合成樹脂材を射出成形し、１０8Ωを超えかつ１０12Ω以下の表面抵抗値を、湿度依存性や経時変化なく持続するという特長を有するものである。また、前記板体支持部材４を省略し、板体支持部材である滑り止め部材９をこの支持板５上に直接配設した場合であっても、滑り止め効果と、静電気を徐々に除電する効果の双方とも前述同様の効果が得られ、かつ部品点数の削減も可能となるものである。
【００１８】
尚、上述した実施例にあっては、板体収納トレイ１に収納するものを液晶パネルとして説明したが、勿論これに限定されることはなく、液晶パネル以外の適宜な板体であってもよいものである。
【図面の簡単な説明】
【００１９】
【図１】本発明の板体収納トレイを示す斜視図である。
【図２】本発明の板体収納トレイを示す平面図である。
【図３】本発明の板体収納トレイにおける板体支持部材の説明図である。
【符号の説明】
【００２０】
１  板体収納トレイ
２  外枠
３  杆体
４  板体支持部材
５  支持板
６  コーナー部材
７  把手部材
８  液晶パネル
９  滑り止め部材
【図１】
2005221769.tif 000003
【図２】
2005221769.tif 000004
【図３】
2005221769.tif 000005